【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
ユーザのタッチ検出のための、携帯デバイスの容量センサデバイスのための電極構成であって、前記電極構成は、
−少なくとも１つの伝送電極と、
−少なくとも１つの受信電極と、
−少なくとも１つの第１の電場測定電極と
を備え、
−第１の交番電気信号が、前記少なくとも１つの伝送電極に印加されることにより、前記少なくとも１つの伝送電極において放出される第１の交番電場を生じさせることが可能であり、
−前記第１の交番電場は、少なくとも部分的に、前記少なくとも１つの受信電極および前記少なくとも１つの第１の電場測定電極に結合することが可能であり、
−前記少なくとも１つの受信電極に結合され、かつ前記少なくとも１つの第１の電場測定電極に結合された前記第１の交番電場は、前記ユーザの片手による前記携帯デバイスの把持を示し、
前記少なくとも１つの受信電極は、前記少なくとも１つの受信電極および前記少なくとも１つの第１の電場測定電極において信号を生じさせるように、前記少なくとも１つの第１の電場測定電極に対して配置され、前記信号は、前記ユーザの片手による前記携帯デバイスの把持の２つのタイプを区別することを可能にし、第１のタイプの把持は、前記携帯デバイスを使用する意図を伴う把持として定義され、第２のタイプの把持は、前記携帯デバイスを使用する意図を伴わない把持として定義される、
電極構成。
【請求項２】
前記電極構成は、少なくとも１つの第２の電場測定電極をさらに備え、前記第１の交番電場は、少なくとも部分的に、前記少なくとも１つの第２の電場測定電極に結合することが可能であり、前記少なくとも１つの第２の電場測定電極に結合された前記第１の交番電場は、前記把持のタイプを示す、請求項１に記載の電極構成。
【請求項３】
前記少なくとも１つの第１の電場測定電極は、前記携帯デバイスの正面側に配置されることが可能であり、前記少なくとも１つの第２の電場測定電極は、前記携帯デバイスの背面側に配置されることが可能であり、前記第１の電場測定電極においてタップされた第１の電気変数および前記第２の電場測定電極においてタップされた第２の電気変数は、前記把持のタイプを示す、請求項２に記載の電極構成。
【請求項４】
前記タップされた第１の電気変数および前記タップされた第２の電気変数は、前記少なくとも１つの第１の電場測定電極および前記少なくとも１つの第２の電場測定電極と結合されている評価デバイスに供給されることが可能であり、前記評価デバイスは、前記第１の電気変数および前記第２の電気変数の差異を計算するように適合されている、請求項３に記載の電極構成。
【請求項５】
前記差異の値は、前記携帯デバイスの背面側が、前記携帯デバイスを把持する手のひらに向かって配向される場合、ゼロより小さく、前記差異の値は、前記携帯デバイスの正面側が、前記携帯デバイスを把持する手のひらに向かって配向される場合、ゼロより大きい、請求項４に記載の電極構成。
【請求項６】
前記評価デバイスは、前記第１の電気変数および前記第２の電気変数の差異の絶対値が第２の閾値を下回る場合、前記第１の電気変数の絶対値および前記第２の変数の絶対値が、第１の閾値を上回るどうかを確認するようにさらに適合されている、請求項４または５に記載の電極構成。
【請求項７】
前記第１の電気変数および前記第２の電気変数の差異の絶対値が第２の閾値を下回る場合、第２の交番電気信号が、前記２つの電場測定電極のうちの一方に印加されることにより、第２の交番電場を生じさせることが可能であり、前記第２の交番電場は、前記第２の交番電気信号が印加される前記電場測定電極において放出されることが可能であり、前記第２の交番電場は、前記２つの電場測定電極（ＦＥ１、ＦＥ２）のそれぞれの他方の電場測定電極に結合されることが可能である、請求項４〜５のいずれかに記載の電極構成。
【請求項８】
前記電極構成は、少なくとも１つの補償電極をさらに備え、前記少なくとも１つの補償電極に対して、第３の交番電気信号が印加されることにより、第３の交番電場を生じさせることが可能であり、前記第３の交番電場は、前記少なくとも１つの補償電極において放出されることが可能であり、前記第３の交番電場は、少なくとも部分的に、前記少なくとも１つの受信電極に結合することが可能であり、前記結合された第１の交番電場と一緒の前記少なくとも１つの受信電極に結合された前記第３の交番電場は、前記把持のタイプを示す、請求項１〜７のいずれかに記載の電極構成。
【請求項９】
前記第３の交番電気信号は、前記第１の交番電気信号に対して異なる位相を有し、前記第１の交番電気信号の振幅は、前記第３の交番電気信号の振幅より大きい、請求項８に記載の電極構成。
【請求項１０】
前記少なくとも１つの伝送電極、前記少なくとも１つの受信電極、および前記少なくとも１つの第１の電場測定電極は、前記携帯デバイスの筐体壁に配置され、前記第１の電場測定電極は、前記伝送電極と前記受信電極との間に配置されている、請求項１〜９のいずれかに記載の電極構成を伴う携帯デバイス。
【請求項１１】
−前記少なくとも１つの伝送電極は、前記携帯デバイスの第１の側壁に配置され、
−前記少なくとも１つの受信電極は、前記携帯デバイスの第１の側壁と反対の第２の側壁に配置され、
−前記少なくとも１つの第１の電場測定電極は、前記携帯デバイスの正面側または背面側に配置されている、
請求項１０に記載の携帯デバイス。
【請求項１２】
前記少なくとも１つの第１の電場測定電極は、前記携帯デバイスの正面側または背面側において、前記携帯デバイスの重心のエリア内に配置されている、請求項１０または１１に記載の携帯デバイス。
【請求項１３】
前記携帯デバイスは、モバイル無線ユニット、携帯電話、コンピュータマウス、デバイスのための遠隔制御、デジタルカメラ、ゲームコントローラ、モバイル携帯情報端末、スマートフォン、およびタブレットＰＣのうちの少なくとも１つを備えている、請求項１０〜１２のいずれかに記載の携帯デバイス。
【請求項１４】
請求項１〜７のいずれかに記載の電極配置を用いたユーザによる携帯デバイスのタッチの検出方法であって、前記方法は、少なくとも、
−前記第１の交番電気信号を前記少なくとも１つの伝送電極に印加することにより、前記第１の交番電場を生じさせるステップであって、前記第１の交番電場は、前記少なくとも１つの伝送電極において放出されることが可能であり、前記第１の交番電場は、少なくとも部分的に、前記少なくとも１つの受信電極および前記少なくとも１つの第１の電場測定電極に結合することが可能である、ステップと、
−前記第１の電場測定電極においてタップされた第１の電気信号を評価するステップであって、前記第１の電気信号は、前記少なくとも１つの伝送電極と前記少なくとも１つの第１の電場測定電極との間の容量結合の評価基準である、ステップと、
−前記受信電極においてタップされた第３の電気信号を評価するステップであって、前記第３の電気信号は、前記少なくとも１つの伝送電極と前記少なくとも１つの受信電極との間の容量結合の評価基準である、ステップと
を含み、
−前記第３の電気信号は、前記ユーザの片手による前記携帯デバイスの把持を示し、
−前記第１の電気信号は、前記把持のタイプを示す、
方法。
【請求項１５】
前記第１の交番電場は、少なくとも１つの第２の電場測定電極に結合することが可能であり、前記方法は、
−前記第２の電場測定電極においてタップされた第２の電気信号を評価するステップと、
−前記第１の電気信号と前記第２の電気信号との差異を決定するステップであって、前記差異は、前記把持のタイプを示す、ステップと
をさらに含む、請求項１４に記載の方法。
【請求項１６】
前記方法は、
−第３の交番電気信号を少なくとも１つの補償電極に印加することにより、第３の交番電場を生じさせるステップであって、前記第３の交番電場は、前記少なくとも１つの補償電極において放出されることが可能であり、前記第３の交番電場は、前記第１の交番電場と一緒に、前記少なくとも１つの受信電極に結合することが可能である、ステップをさらに含む、請求項１４または１５のいずれかに記載の方法。
【請求項１７】
前記手による前記携帯デバイスの把持が検出されると、前記少なくとも１つの受信電極は、伝送モードに切り替えられ、第４の交番電気信号が、前記伝送モードにおける前記少なくとも１つの受信電極に印加されることにより、前記少なくとも１つの受信電極において、第４の交番電場を放出し、前記第４の交番電場は、前記電場測定電極のうちの少なくとも１つに結合することが可能である、請求項１４〜１６のいずれかに記載の方法。
【手続補正２】
【補正対象書類名】明細書
【補正対象項目名】００２４
【補正方法】変更
【補正の内容】
【００２４】
さらに、電場測定電極のうちの少なくとも一方は、伝送モードで動作されることが可能であり、交番電気信号が、電場測定電極に印加され、交番電場を放出し、交番電場は、他方の電場測定電極に結合することが可能である。
本願明細書は、例えば、以下の項目も提供する。
（項目１）
ユーザのタッチ検出のための、携帯デバイス（Ｇ）の容量センサデバイスのための電極構成であって、前記電極構成は、
−少なくとも１つの伝送電極（ＳＥ）と、
−少なくとも１つの受信電極（ＥＥ）と、
−少なくとも１つの第１の電場測定電極（ＦＥ１）と、
を備え、
−第１の交番電気信号（ＷＳ１）が、前記少なくとも１つの伝送電極（ＳＥ）に印加されることにより、前記少なくとも１つの伝送電極（ＳＥ）において放出される第１の交番電場（ＷＦ１）を生じさせることが可能であり、
−前記第１の交番電場（ＷＦ１）は、少なくとも部分的に、前記少なくとも１つの受信電極（ＥＥ）および前記少なくとも１つの第１の電場測定電極（ＦＥ１）に結合することが可能であり、
−前記少なくとも１つの受信電極（ＥＥ）に結合された前記第１の交番電場（ＷＦ１）は、前記ユーザの片手による前記携帯デバイス（Ｇ）の把持を示し、
−前記少なくとも１つの第１の電場測定電極（ＦＥ１）に結合された前記第１の交番電場（ＷＦ１）は、前記ユーザの身体に対する前記携帯デバイス（Ｇ）の位置を示す、
電極構成。
（項目２）
前記電極構成は、少なくとも１つの第２の電場測定電極（ＦＥ２）をさらに備え、前記第１の交番電場（ＷＦ１）は、少なくとも部分的に、前記少なくとも１つの第２の電場測定電極（ＦＥ２）に結合することが可能であり、前記少なくとも１つの第２の電場測定電極（ＦＥ２）に結合された前記第１の交番電場（ＷＦ１）は、前記ユーザの身体に対する前記携帯デバイス（Ｇ）の位置を示す、項目１に記載の電極構成。
（項目３）
前記少なくとも１つの第１の電場測定電極（ＦＥ１）は、前記携帯デバイス（Ｇ）の正面側（Ｖ）に配置されることが可能であり、前記少なくとも１つの第２の電場測定電極（ＦＥ２）は、前記携帯デバイス（Ｇ）の背面側（Ｒ）に配置されることが可能であり、前記第１の電場測定電極（ＦＥ１）においてタップされた第１の電気変数（Ｉ１）および前記第２の電場測定電極（ＦＥ２）においてタップされた第２の電気変数（Ｉ２）は、前記ユーザの身体に対する前記携帯デバイス（Ｇ）の位置を示す、項目２に記載の電極構成。
（項目４）
前記タップされた第１の電気変数（Ｉ１）および前記タップされた第２の電気変数（Ｉ２）は、前記少なくとも１つの第１の電場測定電極（ＦＥ１）および前記少なくとも１つの第２の電場測定電極（ＦＥ２）と結合されている評価デバイスに供給されることが可能であり、前記評価デバイスは、前記第１の電気変数（Ｉ１）および前記第２の電気変数（Ｉ２）の差異（Ｄ）を計算するように適合され、前記差異（Ｄ）は、前記ユーザの身体に対する前記携帯デバイス（Ｇ）の位置を示す、項目３に記載の電極構成。
（項目５）
前記差異（Ｄ）の値は、前記前記携帯デバイス（Ｇ）の背面側（Ｒ）が、前記携帯デバイスを把持する手のひらに向かって配向される場合、ゼロより小さく、前記差異の値は、前記携帯デバイス（Ｇ）の正面側（Ｖ）が、前記携帯デバイスを把持する手のひらに向かって配向される場合、ゼロより大きい、項目４に記載の電極構成。
（項目６）
前記評価デバイスは、前記第１の電気変数（Ｉ１）および前記第２の電気変数（Ｉ２）の差異（Ｄ）の絶対値が第２の閾値を下回る場合、前記第１の電気変数（Ｉ１）の絶対値および前記第２の変数（Ｉ２）の絶対値が、第１の閾値を上回るどうかを確認するようにさらに適合されている、項目４または５に記載の電極構成。
（項目７）
前記第１の電気変数（Ｉ１）および前記第２の電気変数（Ｉ２）の差異（Ｄ）の絶対値が第２の閾値を下回る場合、第２の交番電気信号（ＷＳ２）が、前記２つの電場測定電極（ＦＥ１、ＦＥ２）のうちの一方に印加されることにより、第２の交番電場（ＷＦ２）を生じさせることが可能であり、前記ＷＦ２は、前記第２の交番電気信号（ＷＳ２）が印加される前記電場測定電極において放出されることが可能であり、前記ＷＦ２は、前記２つの電場測定電極（ＦＥ１、ＦＥ２）のそれぞれの他方の電場測定電極に結合されることが可能である、項目４から５のいずれかに記載の電極構成。
（項目８）
前記電極構成は、少なくとも１つの補償電極（ＫＥ）をさらに備え、前記少なくとも１つのＫＥに対して、第３の交番電気信号（ＷＳ３）が印加されることにより、第３の交番電場（ＷＦ３）を生じさせることが可能であり、前記ＷＦ３は、前記少なくとも１つの補償電極（ＫＥ）において放出されることが可能であり、前記第３の交番電場（ＷＦ３）は、少なくとも部分的に、前記少なくとも１つの受信電極（ＥＥ）に結合することが可能であり、前記結合された第１の交番電場（ＷＦ１）と一緒の前記少なくとも１つの受信電極（ＥＥ）に結合された前記第３の交番電場（ＷＦ３）は、前記ユーザの手による前記携帯デバイス（Ｇ）の把持を示す、項目１〜７のいずれかに記載の電極構成。
（項目９）
前記第３の交番電気信号（ＷＳ３）は、前記第１の交番電気信号（ＷＳ１）に対して異なる位相を有し、前記第１の交番電気信号（ＷＳ１）の振幅は、前記第３の交番電気信号（ＷＳ３）の振幅より大きい、項目８に記載の電極構成。
（項目１０）
前記携帯デバイス（Ｇ）を把持した場合、前記少なくとも１つの伝送電極（ＳＥ）および前記少なくとも１つの受信電極（ＥＥ）は、手によって少なくとも部分的に覆われるように、互に対して相対的に、前記携帯デバイス（Ｇ）に配置されることが可能である、項目１〜９のいずれかに記載の電極構成。
（項目１１）
前記少なくとも１つの伝送電極（ＳＥ）、前記少なくとも１つの受信電極（ＥＥ）、および前記少なくとも１つの第１の電場測定電極（ＦＥ１）は、前記携帯デバイス（Ｇ）の筐体壁に配置され、前記第１の電場測定電極（ＦＥ１）は、前記伝送電極（ＳＥ）と前記受信電極（ＥＥ）との間に配置されている、項目１〜１０のいずれかに記載の電極構成を伴う携帯デバイス。
（項目１２）
−前記少なくとも１つの伝送電極（ＳＥ）は、前記携帯デバイス（Ｇ）の第１の側壁に配置され、
−前記少なくとも１つの受信電極（ＥＥ）は、前記携帯デバイス（Ｇ）の第１の側壁と反対の第２の側壁に配置され、
−前記少なくとも１つの第１の電場測定電極（ＦＥ１）は、前記携帯デバイス（Ｇ）の正面側または背面側に配置されている、
項目１１に記載の携帯デバイス。
（項目１３）
前記少なくとも１つの第１の電場測定電極（ＦＥ１）は、前記携帯デバイス（Ｇ）の正面側または背面側において、前記携帯デバイス（Ｇ）の重心のエリア内に配置されている、項目１１または１２に記載の携帯デバイス。
（項目１４）
前記携帯デバイスは、モバイル無線ユニット、携帯電話、コンピュータマウス、デバイスのための遠隔制御、デジタルカメラ、ゲームコントローラ、モバイル携帯情報端末（ＰＤＡ）、スマートフォン、およびタブレットＰＣのうちの少なくとも１つを備えている、前記項目１１から１３のいずれかに記載の携帯デバイス。
（項目１５）
ユーザによる携帯デバイス（Ｇ）のタッチの検出方法であって、
−少なくとも１つの第１の交番電気信号（ＷＳ１）を少なくとも１つの伝送電極（ＳＥ）に印加することにより、第１の交番電場（ＷＦ１）を生じさせるステップであって、前記ＷＦ１は、前記少なくとも１つの伝送電極（ＳＥ）において放出されることが可能であり、前記第１の交番電場は、少なくとも部分的に、少なくとも１つの受信電極（ＥＥ）および少なくとも１つの第１の電場測定電極（ＦＥ１）に結合することが可能である、ステップと、
−前記第１の電場測定電極（ＦＥ１）においてタップされた第１の電気信号を評価するステップであって、前記第１の電気信号は、前記少なくとも１つの伝送電極（ＳＥ）と前記少なくとも１つの第１の電場測定電極（ＦＥ１）との間の容量結合の評価基準である、ステップと、
−前記受信電極（ＥＥ）においてタップされた第３の電気信号を評価するステップであって、前記第３の電気信号は、前記少なくとも１つの伝送電極（ＳＥ）と前記少なくとも１つの受信電極（ＥＥ）との間の容量結合の評価基準である、ステップと
を含み、
−前記第１の電気信号は、前記ユーザの身体に対する前記携帯デバイス（Ｇ）の位置を示し、
−前記第３の電気信号は、前記ユーザの片手による前記携帯デバイス（Ｇ）の把持を示す、
方法。
（項目１６）
前記第１の交番電場（ＷＦ１）は、少なくとも１つの第２の電場測定電極（ＦＥ２）に結合することが可能であり、前記方法は、
−前記第２の電場測定電極（ＦＥ２）においてタップされた第２の電気信号を評価するステップと、
−前記第１の電気信号と前記第２の電気信号との差異（Ｄ）を決定するステップであって、前記差異（Ｄ）は、前記ユーザの身体に対する前記携帯デバイス（Ｇ）の位置を示す、ステップと
をさらに含む、項目１５に記載の方法。
（項目１７）
前記方法は、
−第３の交番電気信号（ＷＳ３）を少なくとも１つの補償電極（ＫＥ）に印加することにより、第３の交番電場（ＷＦ３）を生じさせるステップであって、前記ＷＦ３は、前記少なくとも１つの補償電極（ＫＥ）において放出されることが可能であり、前記ＷＦ３は、前記第１の交番電場（ＷＦ１）と一緒に、前記少なくとも１つの受信電極（ＥＥ）に結合することが可能である、ステップをさらに含む、項目１５または１６のいずれかに記載の方法。
（項目１８）
前記手による前記携帯デバイス（Ｇ）の把持が検出されると、前記少なくとも１つの受信電極（ＥＥ）は、伝送モードに切り替えられ、第４の交番電気信号（ＷＳ４）が、前記伝送モードにおける前記少なくとも１つの受信電極（ＥＥ）に印加されることにより、前記少なくとも１つの受信電極（ＥＥ）において、第４の交番電場（ＷＦ４）を放出し、前記ＷＦ４は、前記電場測定電極（ＦＥ１、ＦＥ２）のうちの少なくとも１つに結合することが可能である、項目１５から１７のいずれかに記載の方法。